(57)【特許請求の範囲】
【請求項１】
屋根面としての強度を有し軒先から棟に達する長尺の屋根材の一方の側縁に沿って上方開口で且つ十分な曲げ強度を有する断面Ｕ字状に形成されて垂木の役割をする溝型部が設けられ、
前記溝型部より若干小さい断面Ｕ字状の溝を有して前記溝型部の溝内に嵌合可能な縁部が屋根材の他方の側縁に沿って設けられていることを特徴とする傾斜屋根用屋根材。
【請求項２】
屋根材にその雨水の流れ方向に略直交して補強突条が設けられ、屋根材が傾斜屋根に設置された時この補強突条はその水上側が雨水の流下可能な水平以上の傾斜面となることを特徴とする請求項１記載の傾斜屋根用屋根材。
【請求項３】
請求項１又は２記載の屋根材が、建物本体の軒先部と棟部とに掛け渡され、その溝型部の溝内に隣接する屋根材の縁部を嵌合して葺かれていることを特徴とする屋根構造。
【請求項４】
屋根骨組み体と、この骨組み体上に配設された所定勾配の屋根仕上材とを有する屋根構造において、前記骨組み体上に、上方に開口した溝型部材が屋根仕上材の幅にほぼ等しい間隔を置いて固定され、この溝型部材の両上面に隣接する野地板の端部下面が載置して固定され、この野地板上に屋根仕上材が、その端部を前記溝型部材の溝内に挿入するようにして目地部を形成して固定され、この目地部が目地部閉塞部材にて閉塞されていることを特徴とする屋根構造。
【請求項５】
屋根仕上材がその表面が合成樹脂にて被覆されている薄板状の鋼板である請求項４記載の屋根構造。
【発明の詳細な説明】
【０００１】
【発明の属する技術分野】
本発明は傾斜屋根用屋根材及び屋根構造、詳細には防水の容易な傾斜屋根用屋根材及び屋根構造に関する。
【０００２】
【従来の技術】
従来から、実開昭６０ー２４２２３８号公報や実開平２ー１７１４５１号公報に記載されているように建物の屋根部分をユニット化したものが公知である。
この屋根構造は、棟側に配設される複数の棟側屋根ユニットと、この棟側屋根ユニットより軒側に隣接して配設される複数の軒側屋根ユニットとを有し、複数の建物ユニット上に据え付けられて構成されている。この場合、図８に示すように、軒側屋根ユニット２ａは、棟梁３ａ，軒梁４ａ，トラス５ａ，束６ａ，垂木７ａにて骨組み体８ａが構成され、この骨組み体８ａの垂木７ａ上に、野地板９ａ，防水材（たとえばアスファルトフェルト）１０ａ，屋根瓦１１ａを施工するようにしている。
【０００３】
【発明が解決しようとする課題】
しかしながら、この従来の屋根構造では、骨組み体８ａを組み立てた上に、更に、野地板９ａ，防水材１０ａ，屋根瓦１１ａを施工しているため、部品点数および作業工程が増大するという問題があった。
【０００４】
本発明の目的は、野地板上の防水材工事が不要であったり、更には野地板や垂木までも不要であり、このため材料費や施工作業費を減少できる傾斜屋根用屋根材及び屋根構造を提供することである。
【０００５】
【課題を解決するための手段】
請求項１記載の本発明は、屋根面としての強度を有し軒先から棟に達する長尺の屋根材の一方の側縁に沿って上方開口で且つ十分な曲げ強度を有する断面Ｕ字状に形成されて垂木の役割をする溝型部が設けられ、前記溝型部より若干小さい断面Ｕ字状の溝を有して前記溝型部の溝内に嵌合可能な縁部が屋根材の他方の側縁に沿って設けられていることを特徴とする傾斜屋根用屋根材である。
【０００６】
請求項２記載の本発明は、屋根材にその雨水の流れ方向に略直交して補強突条が設けられ、屋根材が傾斜屋根に設置された時この補強突条はその水上側が雨水の流下可能な水平以上の傾斜面となることを特徴とする請求項１記載の傾斜屋根用屋根材である。
【０００７】
請求項３記載の本発明は、請求項１又は２記載の屋根材が、建物本体の軒先部と棟部とに掛け渡され、その溝型部の溝内に隣接する屋根材の縁部を嵌合して葺かれていることを特徴とする屋根構造である。
【０００８】
請求項４記載の本発明は、屋根骨組み体と、この骨組み体上に配設された所定勾配の屋根仕上材とを有する屋根構造において、前記骨組み体上に、上方に開口した溝型部材が屋根仕上材の幅にほぼ等しい間隔を置いて固定され、この溝型部材の両上面に隣接する野地板の端部下面が載置して固定され、この野地板上に屋根仕上材が、その端部を前記溝型部材の溝内に挿入するようにして目地部を形成して固定され、この目地部が目地部閉塞部材にて閉塞されていることを特徴とする屋根構造である。
【０００９】
請求項５記載の本発明は、屋根仕上材がその表面が合成樹脂にて被覆されている薄板状の鋼板である請求項４記載の屋根構造である。
【００１０】
本発明における屋根材としては、塗装鋼板、ステンレス鋼板、繊維強化セメント板、繊維強化プラスチック、合成樹脂などからなり、それらの一体成形物、或いは積層成形物などが、防水性に優れ強度が大きいので好ましい。この屋根材の溝型部及び縁部は屋根材の強度維持に役立つものであり、その高さが高いのが強度維持上好ましい。特に溝型部の高さは５ｃｍ〜２０ｃｍの範囲が好ましい。溝型部の高さが２０ｃｍを超えるのは経済的でない。屋根材の幅としては、３０ｃｍ〜１２０ｃｍの範囲が屋根面の支持強度の面から好ましい。特に、葺いたときに各屋根材の占める幅が建物の基準モジュールの整数倍になっているのが効率的で好ましい。
【００１１】
【作用】
請求項１記載の本発明の傾斜屋根用屋根材は、屋根面としての強度を有し軒先から棟に達する長尺の屋根材の一方の側縁に沿って屋根支持強度を有する溝型部が設けられているから、屋根材が野地板の役割をし、溝型部が垂木などの役割をし、野地板や垂木などを必要とせずに屋根を葺けるものとなる。
【００１２】
しかも、請求項１記載の本発明の傾斜屋根用屋根材は、屋根材の一方の側縁に沿って上方開口の溝型部が設けられ、この溝型部の溝内に嵌合可能な縁部が屋根材の他方の側縁に沿って設けられているから、この溝型部の溝内に隣接する屋根材の縁部を嵌合するだけで、溝型部が排水溝の役割をして、隣接する屋根材間の雨仕舞いができ、屋根葺の施工作業が簡単で工数のかからないものになる。
【００１３】
請求項２記載の本発明の傾斜屋根用屋根材は、屋根材にその雨水の流れ方向に略直交して補強突条が設けられ、屋根材が傾斜屋根に設置された時この補強突条はその水上側が雨水の流下可能な水平以上の傾斜面となるものであるから、屋根面がこの補強突条により補強され強度の大きなものになるともに、屋根材上の雨水は滞留せずにスムーズに流下する。
【００１４】
請求項３記載の本発明の屋根構造は、請求項１又は２記載の屋根材が、建物本体の軒先部と棟部とに掛け渡され、その溝型部の溝内に隣接する屋根材の縁部を嵌合して葺かれているから、屋根材が野地板の役割もし、溝型部が垂木などの役割をし、隣接する屋根材間の雨仕舞いを溝型部がし、野地板や垂木などを必要とせずに材料費がかからず、施工作業工数をかけずに強度の大きな屋根を簡単に得ることができる。
【００１５】
請求項４記載の本発明の屋根構造においては、屋根仕上材が野地板上に目地部を介して固定され、この目地部が目地部閉塞部材にて閉塞されているので、目地部への雨水の浸入は閉塞部材にて防止できる。
【００１６】
また、仮に目地部への雨水の浸入防止が十分でなく、目地部を通じて雨水が浸入しても、この浸入した雨水は、溝型部材が樋としての機能を有し、これを通じて外部あるいは軒先に配設された軒樋内に排出されることになる。
【００１７】
さらに、屋根仕上材が野地板上に直接固定されているので、野地板上にたとえば防水シートなどの防水材を張るという従来の防水工事は不要となる。この結果、材料費は低減し、施工作業時間も短縮できる。
【００１８】
請求項５記載の本発明においては、屋根仕上材がその表面が合成樹脂にて被覆された薄板状の鋼板であるので、屋根仕上材の端部を野地板の端面に沿わせて折り曲げることで簡単に施工作業を行える。また、野地板端面の防水処理も同時に行える。
【００１９】
【発明の実施の形態】
以下、本発明の傾斜屋根用屋根材及び屋根構造の実施の形態を図面を参照して説明する。
図１は本発明の実施例である傾斜屋根用屋根材の斜視図、図２は図１の傾斜屋根用屋根材を葺いた本発明の屋根構造の第１実施例を示す断面図、図３は互いに隣接する本発明の傾斜屋根用屋根材の嵌合状態を示す斜視図、図４は本発明の傾斜屋根用屋根材の固定状態を示す断面図、図５は本発明の屋根構造の棟部を示す断面図、図６は本発明の屋根構造の第２実施例の要部を示す斜視図、図７は図６のＸ−Ｘでの拡大断面図である。
【００２０】
図１において、屋根材１は厚み０．８ｍｍの鋼板（ＳＳ４００）をロールフォーミング又はプレス加工することにより一体のものとして形成されている。屋根材１の表面には塗装仕上げがなされている。屋根材１の左側の側縁に沿って溝型部１１が下方に突設され、右側の側縁に沿って縁部１２が下方に突設されている。
【００２１】
屋根材１の上面には雨水の流れ方向に直交して補強突条（段部）１３、１３…が設けられている。この補強突条１３は、屋根材が傾斜屋根として設置された時、その水上側が雨水の流下可能な水平以上の傾斜面となる。しかも、この補強突条１３、１３…は、屋根材１の化粧模様を兼ねており、瓦状に見えるようになっている。
【００２２】
溝型部１１は、図３にも示すように、断面Ｕ字形状になっており、雨水を排出する樋状の排水溝の役割をしている。
【００２３】
縁部１２は、溝型部１１の溝内に嵌合可能なように上記溝型部１１より若干小さい溝を有する断面Ｕ字形状になっている。
【００２４】
屋根材１の上面の幅は３０ｃｍになっており、溝型部材１１の底面からの高さは十分な曲げ強度を有するように１０ｃｍになっている。屋根材１の長さは、屋根の広さにより変わるが、軒先から棟までの長尺になされる。
【００２５】
屋根材１を葺く場合は、図２に示すように、屋根材１をクレーンで吊り上げ、建物本体２の軒先部と棟部とに掛け渡すのである。建物本体２の軒先部の軒梁２１上に設けた軒支持具２１１と、棟部の束２２上の棟支持具２２１とに、屋根材１を嵌合して固定する。
【００２６】
軒支持具２１１による屋根材１の固定は、図４に示すようになっている。案内鍔２１２、２１２付きの上方開口の箱形溝状の軒支持具２１１内に、屋根材１の溝型部１１を嵌合させ、固定ボルト２１３で固定するのである。棟支持具２２１も軒支持具２１１と同様の構造になっており、同様に屋根材１を嵌合固定する。
【００２７】
隣接する屋根材１、１…は、図３に示すように、その溝型部１１の溝内に隣の屋根材１の縁部１２を嵌合させ、順次葺いていくのである。屋根材１の葺幅は、建物の基準モジュールである３０．５ｃｍになっている。屋根材１、１…の上面側縁間は隙間がないように当接するようにしてもよい。或いは屋根材１、１…の上面側縁間に隙間を設ける場合は、必要によりガスケットを挿入する。そうすると、屋根材１、１…の上面が一次防水になり、溝型部１１が二次防水の樋となり、より防水性能の高い屋根になる。
【００２８】
棟部は、図５に示すように、屋根材１の棟部先端をブチルゴム系テープ３１とゴムスポンジ３２で塞ぐ。ブチルゴム系テープ３１は、屋根材１の端面を覆い、ゴムスポンジ３２は溝型部１１内に嵌め込む。それから、棟包み受け桟３３、３３を固定金具３４とボルト３５で固定し、ブチルゴムスポンジからなる止水材３６を介して棟包み３７を防水材付きのビス３８で固定する。
【００２９】
この実施例においては、屋根面としての強度を有し軒先から棟に達する長尺の傾斜屋根用屋根材１の一方の側縁に沿って屋根支持強度を有する溝型部１１が設けられているから、屋根材１が野地板の役割をし、溝型部１１が垂木などの役割をし、野地板や垂木などを必要とせずに屋根を葺けるものとなっている。
【００３０】
しかも、この傾斜屋根用屋根材１は、屋根材１の一方の側縁に沿って上方開口の溝型部１１が設けられ、この溝型部１１の溝内に嵌合可能な縁部１２が屋根材１の他方の側縁に沿って設けられているから、この溝型部１１の溝内に隣接する屋根材１の縁部１２を嵌合するだけで、溝型部１１が排水溝の役割をして、隣接する屋根材１、１間の雨仕舞いができ、屋根葺の施工作業が簡単で工数のかからないものになる。
【００３１】
この傾斜屋根用屋根材１は、屋根材１にその雨水の流れ方向に略直交して補強突条（段部）１３、１３…が設けられ、屋根材１が傾斜屋根に設置された時この補強突条１３はその水上側が雨水の流下可能な水平以上の傾斜面となるものであるから、屋根面がこの補強突条１３、１３…により補強され強度の大きなものになるともに、雨水の滞留もなくスムーズに流下できる。
【００３２】
この実施例の屋根構造は、上記の屋根材１、１…が、建物本体２の軒先部と棟部とに掛け渡され、その溝型部１１の溝内に隣接する屋根材１の縁部１２を嵌合して葺かれているから、屋根材１が野地板の役割もし、溝型部１１が垂木などの役割をし、隣接する屋根材１、１…間の雨仕舞いを溝型部１１、１１…がし、野地板や垂木などを必要とせずに材料費がかからず、施工作業工数をかけずに強度の大きな屋根を簡単に得ることができる。
【００３３】
上記実施例の屋根材１の溝型部１１を別部材として溶接などで接合するようにしてもよい。
【００３４】
次に、本発明の第２実施例の屋根構造について、図６、図７を参照して説明する。この実施例においては、溝型部材４１が別部材になっている。
【００３５】
屋根構造は棟側および軒側屋根ユニットとを有しており、軒側屋根ユニットは、従来とほぼ同様に（図８を参照）、不図示の棟梁，軒梁，トラス，束にて骨組み体が構成されている。この骨組み体５の棟梁および軒梁上には断面コ字状の溝型部材４１がその上方を開口した状態で溶接されて固定されている。溝型部材４１は金属製のものであり、その側部上端には外方にフランジ４１１、４１１が延設されている。溝型部材４１、４１間の間隔は後述の屋根仕上材４の幅にほぼ等しくされている。なお、溝型部材４１は樋としての機能を有している。
【００３６】
隣接する野地板４２、４２の端部下面が溝型部材４１の両フランジ４１１、４１１上面に載置されて固定具（図示せず）にて固定されている。その際、図７に示すように、両野地板４２、４２の端部はともに溝型部材４１内に少し張り出した状態となっている。
そして、野地板４２、４２の全表面を屋根仕上材４にて葺き、その端部を野地板４２、４２の端面に沿わせて折り曲げ、溝型部材４１の溝内に折り込んで目地部６を形成して固定されている。なお、屋根仕上材４はその表面が耐候性に優れた塩化ビニル樹脂にて被覆された樹脂被覆鋼板、所謂塩ビ鋼板であり、その端部は釘８にて野地板４２と固定されている。
【００３７】
図２に示すように、中空筒状の目地部閉塞部材７が上方から目地部６内に押し込まれ、その下端係止部７１、７１が屋根仕上材４の折り込み部を介在した状態で、隣接する野地板４２、４２の端部下面に係止して装着され、屋根仕上材４の上側隅部が目地部閉塞部材７の上端押さえ部７２、７２にて押圧されることにより、目地部６が目地部閉塞部材７にて水密状に閉塞されている。なお、目地部閉塞部材７は可撓性ならびに耐候性を有する樹脂製のものである。
【００３８】
上記屋根構造においては、隣接する野地板４２、４２の端部が溝型部材４１内に張り出した状態で、フランジ４１１、４１１上面に固定されているので、この張り出し部を利用して目地部閉塞部材７の下端係止部７１、７１を係止できる。また、溝型部材４１内に折り込まれた屋根仕上材４が目地部閉塞部材７の下端係止部７１、７１と上端押さえ部７２、７２との間で水密状に閉塞されるので、防水性に優れている。上端押さえ部７２は釘８も被覆防水している。
【００３９】
上記第２実施例では、溝型部材４１の両側部上端に外向きのフランジ４１１、４１１を延設したが、同様のフランジを内向きに延設してもよい。このように内向きにフランジを延設した場合は、このフランジに目地部閉塞部材の下端係止部を係止するようにしてもよい。
【００４０】
また、屋根仕上材４と野地板４２とを一体のものとしてもよい。
【００４１】
また、目地部閉塞部材７は中空筒状のものに代えて、中実状のものとしてもよく、その形状などは溝型部材４１ならびに目地部６の形態に対応させて決めればよい。
【００４２】
以上、本発明の実施例を図面により詳述してきたが、具体的な構成はこの実施例に限られるものでなく、本発明の要旨を逸脱しない範囲の設計変更等があっても本発明に含まれる。
【００４３】
【発明の効果】
請求項１記載の本発明の傾斜屋根用屋根材は、屋根面としての強度を有し軒先から棟に達する長尺の屋根材の一方の側縁に沿って上方開口で且つ十分な曲げ強度を有する断面Ｕ字状に形成されて垂木の役割をする溝型部が設けられ、前記溝型部より若干小さい断面Ｕ字状の溝を有して前記溝型部の溝内に嵌合可能な縁部が屋根材の他方の側縁に沿って設けられているから、野地板や垂木などを必要とせずに屋根を葺け、溝型部が排水溝の役割をし、隣接する屋根材間の雨仕舞いができ、屋根葺の施工作業が簡単で工数のかからないものになる。
【００４４】
請求項２記載の本発明の傾斜屋根用屋根材は、雨水の流れ方向に略直交して補強突条が設けられ、この補強突条はその水上側が雨水の流下可能な水平以上の傾斜面となるものであるから、屋根面がこの補強突条により補強され強度の大きなものになるともに、雨水の滞留もなくスムーズに流下できる。
【００４５】
請求項３記載の本発明の屋根構造は、請求項１又は２記載の屋根材が、建物本体の軒先部と棟部とに掛け渡され、その溝型部の溝内に隣接する屋根材の縁部を嵌合して葺かれているから、屋根材が野地板の役割もし、溝型部が垂木などの役割をし、隣接する屋根材間の雨仕舞いを溝型部がし、野地板や垂木などを必要とせずに材料費がかからず、施工作業工数をかけずに強度の大きな屋根を簡単に得ることができる。
【００４６】
請求項４または５記載の本発明の屋根構造においては、屋根仕上材の目地部からの雨水の浸入は目地部閉塞部材にて防止できる。仮に目地部への雨水の浸入防止が十分でなく、目地部を通じて雨水が浸入しても、この浸入した雨水は、溝型部材を通じて外部あるいは軒先に配設された軒樋内に排出される。
【００４７】
また、野地板上に防水材を張るという防水工事が不要となり、材料費は低減し、施工時間も短縮できる。
【００４８】
請求項５記載の本発明においては、表面が合成樹脂にて被覆された薄板状の鋼板の端部を野地板の端面に沿わせて折り曲げることで簡単に施工作業を行え、同時に、野地板端面の防水処理もできる。
【図面の簡単な説明】
【図１】本発明の実施例である傾斜屋根用屋根材の斜視図である。
【図２】図１の傾斜屋根用屋根材を葺いた本発明の屋根構造の第１実施例を示す断面図である。
【図３】互いに隣接する本発明の傾斜屋根用屋根材の嵌合状態を示す斜視図である。
【図４】本発明の傾斜屋根用屋根材の固定状態を示す断面図である。
【図５】本発明の屋根構造の棟部を示す断面図である。
【図６】本発明の第２実施例の屋根構造の要部を示す説明図である。
【図７】図６のＸ−Ｘでの拡大断面図である。
【図８】従来公知の屋根構造を示す説明図である。
【符号の説明】
１  屋根材
１１  溝型部
１２  縁部
１３  突条
２  建物本体
２１１  軒支持具
２２１  棟支持具
４  屋根仕上材
４１  溝型部材
４１１  フランジ
４２  野地板
５  骨組み体
６  目地部
７  目地部閉塞部材
７１  係止部
７２  押さえ部
【図１】
0004087969.tif 000002
【図２】
0004087969.tif 000003
【図３】
0004087969.tif 000004
【図４】
0004087969.tif 000005
【図５】
0004087969.tif 000006
【図６】
0004087969.tif 000007
【図７】
0004087969.tif 000008
【図８】
0004087969.tif 000009